(57)【要約】      （修正有）【課題】感応式全自動電動防水シャッター及びその自動位置決め強化柱を提供する。【解決手段】感応式全自動電動防水シャッター及びその自動位置決め強化柱は、門板１、ケーシング２、２つの外枠３、収納装置４、下圧油圧シリンダ５、側圧油圧シリンダ６、水位検出器、強化柱８、駆動装置９及び赤外線検出器を含む。洪水が発生すると、水位検出器が所定の水位を検出して自動制御器に信号を伝送し、自動制御器がモータ２１、縦型モータ９１及び水平モータを起動し、レール８４をスライドするボール８３を利用して強化柱８を固定台８４１まで横方向に移動させ、また、自動制御器は、強化柱８の縦型モータ８２を起動して固定台８４１にピン８１を挿入して固定し、門板１の各スラット１１を下降させ、各層を位置合わせして密着させる構成とした。【選択図】図１
2014227826.tif 000002
【特許請求の範囲】
【請求項１】
門板、ケーシング、２つの外枠、収納装置、下圧油圧シリンダ、側圧油圧シリンダ、水位検出器、強化柱及び駆動装置を備える感応式全自動電動防水シャッター及びその自動位置決め強化柱であって、
前記門板は、複数のスラットからなり、前記複数のスラットは、２つの外枠内に配置されるか、或いは、前記収納装置内に収納され、
前記ケーシングは、前記門板の上方に設置され、内部には、モータ、油圧ポンプ、自動制御器、無停電システム、前記収納装置、前記下圧油圧シリンダ及び前記駆動装置が設けられ、
前記２つの外枠は、前記門板の両側に対向配置され、前記２つの外枠間には、前記複数のスラットが配置され、
前記収納装置は、左右内壁の水平方向に吊レールがそれぞれ設けられ、垂直方向にガイドレールがそれぞれ設けられ、前記各ガイドレールの一方の端部には、互いに連通する支持レールがそれぞれ接続され、前記各吊レールと前記各ガイドレールとが最も接近する部分には、歯車がそれぞれ設置され、前記各歯車上には、チェーンが噛合され、前記各チェーンは、前記各吊レール及び前記各ガイドレールに沿って移動し、
前記下圧油圧シリンダは、前記ケーシング内に設置され、下端には、前記門板を圧迫する押圧部が設けられ、
前記側圧油圧シリンダは、前記外枠内に設置され、下端には、押圧ロッドが接続され、
前記水位検出器は、前記外枠側部の地面に設置され、所定の水位を検出すると、防水システムを自動的に起動し、
前記強化柱は、前記門板後方に設置され、上端に設置される縦型モータと前記駆動装置内に設置される水平モータとによって駆動されて横方向に移動し、前記強化柱下端の内部空間には、ピン及び縦型モータが設けられ、
前記駆動装置は、前記ケーシング内の下方に設置され、２つの内壁には、固定プラグ及び軸受セットがそれぞれ設けられ、前記２つの固定プラグ内には、ガイドロッドの両端がそれぞれ固定され、前記２つの軸受セット内には、ガイドネジロッド及び伝動軸の一方の端部がそれぞれ固定され、前記ガイドネジロッド及び前記伝動軸の他方の端部は、互いに対向接続され、前記縦型モータは、前記強化柱上端に設置され、前記水平モータは、前記駆動装置内に設置されることを特徴とする感応式全自動電動防水シャッター及びその自動位置決め強化柱。
【請求項２】
前記複数のスラットの上端には、上ストッパ片、Ｖ形凹溝及び固定孔がそれぞれ設けられ、前記複数のスラットの下端には、下ストッパ片、逆Ｖ形凸角部及び２つの固定ブロックがそれぞれ設けられ、前記複数のスラットの内部空間には、複数の隔板が設けられることにより、複数のチャンバが形成され、前記Ｖ形凹溝の表面と、前記逆Ｖ形凸角部の表面と、前記スラットと前記外枠との間の表面と、には、防水ゴム板がそれぞれ貼設され、前記下圧油圧シリンダの押圧部の押圧を受ける前記Ｖ形凹溝の表面には、ガスケットが貼設されることを特徴とする請求項１に記載の感応式全自動電動防水シャッター及びその自動位置決め強化柱。
【請求項３】
前記複数のスラットの固定孔には、第１の軸ロッドの一方の端部が挿入され、前記第１の軸ロッドの他方の端部は、前記チェーンに貫設される上、前記軸受セットに嵌設され、前記複数のスラットの固定ブロックには、固定片が螺着され、前記固定片は、第２の軸ロッドを有し、前記第２の軸ロッドの一方の端部には、ガイドホイールが嵌設されることを特徴とする請求項２に記載の感応式全自動電動防水シャッター及びその自動位置決め強化柱。
【請求項４】
前記外枠内に、前記門板が地面に接触する際の異常を検出する赤外線検出器が設けられるか、或いは、前記防水シャッターの外部に、人、車両、物などの通過を検出する赤外線検出器が装着されることを特徴とする請求項１に記載の感応式全自動電動防水シャッター及びその自動位置決め強化柱。
【請求項５】
前記収納装置の内部には、前記複数のスラットを停止させる２つのストッパが設けられ、前記支持レールの開口には、外部に拡張するガイド口が設けられ、前記収納装置の吊レールの上方には、固定板及びチェーン保護板が設置されることを特徴とする請求項１に記載の感応式全自動電動防水シャッター及びその自動位置決め強化柱。
【請求項６】
前記下圧油圧シリンダ又は側圧油圧シリンダは、必要に応じ、１つ又は複数設置されることを特徴とする請求項１に記載の感応式全自動電動防水シャッター及びその自動位置決め強化柱。
【請求項７】
前記強化柱の上部は、前記駆動装置の前記ガイドロッド及び前記ガイドネジロッド上に可動跨設され、前記ピンは、前記縦型モータによって駆動されて前記レールに設置される固定台に挿入固定され、前記強化柱の底部にボールが設けられることにより、前記レール上において前記強化柱を安定的に横方向に移動させ、前記固定台は、蓋板及びバネを有することを特徴とする請求項１に記載の感応式全自動電動防水シャッター及びその自動位置決め強化柱。
【請求項８】
前記水位検出器及び前記赤外線検出器は、検出を行い、前記自動制御器に信号を伝送し、前記自動制御器は、前記信号に基づいて、前記防水シャッター、前記下圧油圧シリンダ、前記側圧油圧シリンダ及び前記強化柱の開閉又は移動を制御することを特徴とする請求項１に記載の感応式全自動電動防水シャッター及びその自動位置決め強化柱。
【請求項９】
感応式全自動電動防水シャッター及びその自動位置決め強化柱であって、
前記感応式全自動電動防水シャッターは、門板、ケーシング、２つの外枠及び収納装置を備え、
前記門板は、複数のスラットからなり、前記複数のスラットは、２つの外枠内に配置されるか、或いは、前記収納装置内に収納され、
前記ケーシングは、前記門板の上方に設置され、内部には、モータ、油圧ポンプ、自動制御器、無停電システム及び前記収納装置が設けられ、
前記２つの外枠は、前記門板の両側に対向配置され、前記２つの外枠間には、前記複数のスラットが配置され、
前記収納装置は、左右内壁の水平方向に吊レールがそれぞれ設けられ、垂直方向にガイドレールがそれぞれ設けられ、前記各ガイドレールの一方の端部には、互いに連通する支持レールがそれぞれ接続され、前記各吊レールと前記各ガイドレールとが最も接近する部分には、歯車がそれぞれ設置され、前記各歯車上には、チェーンが噛合され、前記各チェーンは、前記各吊レール及び前記各ガイドレールに沿って移動することを特徴とする感応式全自動電動防水シャッター及びその自動位置決め強化柱。
【請求項１０】
感応式全自動電動防水シャッター及びその自動位置決め強化柱であって、
前記自動位置決め強化柱は、強化柱及び駆動装置を備え、
前記強化柱は、前記感応式全自動電動防水シャッターの門板後方に設置され、上端に設置される縦型モータと前記駆動装置内に設置される水平モータとによって駆動されて横方向に移動し、前記強化柱下端の内部空間には、ピン及び縦型モータが設けられ、
前記駆動装置は、前記感応式全自動電動防水シャッターのケーシング内の下方に設置され、２つの内壁には、固定プラグ及び軸受セットがそれぞれ設けられ、前記２つの固定プラグ内には、ガイドロッドの両端がそれぞれ固定され、前記２つの軸受セット内には、ガイドネジロッド及び伝動軸の一方の端部がそれぞれ固定され、前記ガイドネジロッド及び前記伝動軸の他方の端部は、互いに対向接続され、前記縦型モータは、前記強化柱上端に設置され、前記水平モータは、前記駆動装置内に設置されることを特徴とする感応式全自動電動防水シャッター及びその自動位置決め強化柱。
【発明の詳細な説明】
【技術分野】
【０００１】
本発明は、防水シャッターに関し、特に、スラット、下圧油圧シリンダ、側圧油圧シリンダ、自動位置決め強化柱、水位検出器及び赤外線検出器を有する感応式全自動電動防水シャッター及びその自動位置決め強化柱に関する。
【背景技術】
【０００２】
本発明に関連する従来技術として、図２４に示す特許文献１の「脱出構造を有するシャッター」が挙げられる。特許文献１の「脱出構造を有するシャッター」は、複数のスラット１１が接合されてなるシャッター１と、シャッター１の両側に設けられる２つの外柱２と、を有する。シャッター１は、下端のスラット１１’が離合式となっている。離合式のスラット１１’は、上方に接合される上スラットと、下方に接合される下スラットと、からなり、離合状態を制御する係合機構（図示せず）を介して組み立てられる。また、外柱２は、離合式のスラット１１’の高さに基づき、上段と下段とに分けられる。上段は、壁面に固定される固定外柱２ａであり、下段は、底端が地面に枢設される可動外柱２ｂである。係合部材（図示せず）により、可動外柱２ｂと固定外柱２ａとの結合状態が制御される。しかし、特許文献１の「脱出構造を有するシャッター」は、操作上の安全対策が施されてない上、防水機能を有さず、手動でシャッターの開閉を行わなくてはならないため、簡単に使用することができない。また、本発明の目的とする感応式全自動電動防水シャッターが有する効果を実現することができない。
【０００３】
本発明に関連するもう１つの従来技術として、図２５に示す特許文献２の「受動型赤外線検出装置を有する可動バリア制御装置（Ｍｏｖａｂｌｅ  Ｂａｒｒｉｅｒ  Ｏｐｅｒａｔｏｒ  Ｈａｖｉｎｇ  Ｐａｓｓｉｖｅ  Ｉｎｆｒａｒｅｄ  Ｄｅｔｅｃｔｏｒ）」が挙げられる。図２５に示すように、特許文献２の「受動型赤外線検出装置を有する可動バリア制御装置」は、車庫（ｇａｒａｇｅ）１２内の天板（ｃｅｉｌｉｎｇ）１４に車庫ドア制御装置（ｇａｒａｇｅ  ｄｏｏｒ  ｏｐｅｒａｔｏｒ）１０が装着される。車庫ドア制御装置１０は、複数のスラットを有する車庫ドア（ｍｕｌｔｉｐａｎｅｌ  ｇａｒａｇｅ  ｄｏｏｒ）１６を作動させることができる。複数のスラットを有する車庫ドア１６の両側には、複数のボール（ｒｏｌｌｅｒｓ）１８が設けられる。複数のボール１８は、車庫ドア１６の両側の軌道（ｔｒａｃｋｓ）２０内を回転移動する。車庫ドア制御装置１０は、制御ユニット（ｈｅａｄ  ｕｎｉｔ）２４、レール装置（ｒａｉｌ  ａｓｓｅｍｂｌｙ）２６、滑車（ｔｒｏｌｌｅｙ）２８及びアーム（ａｒｍ）３０を含む。アーム３０は、一方の端部が上スラット（ｕｐｐｅｒ  ｐｏｒｔｉｏｎ）３２に固定され、他方の端部が滑車２８に固定される。滑車２８は、レール装置２６内をスライドする。制御ユニット２４は、電動モータ（ｅｌｅｃｔｒｉｃ  ｍｏｔｏｒ）、スプロケット（ｓｐｒｏｃｋｅｔ）及びＲＦ受信器（ｒａｄｉｏ  ｆｒｅｑｕｅｎｃｙ  ｒｅｃｅｉｖｅｒ）５０により、滑車２８を駆動し、複数のスラットを有する車庫ドア１６の開閉を行う。しかし、特許文献２の「受動型赤外線検出装置を有する可動バリア制御装置」は、操作上の安全対策が施されてない上、防水機能を有さず、本発明の目的とする感応式全自動電動防水シャッターが有する効果を実現することができない。
【０００４】
そこで、高い防水効果を実現し、浸水を防止し、作動時の安全性を確保することができ、スラットの強度を高め、スラットを安定的に移動させることができ、設備が損壊するのを防止し、気密性の高い防水効果を実現し、スラットの収納構造が簡単であり、使用が簡単であり、スラットの構造を保護することができ、スラットの使用年数を延長することができ、強化柱を安定的に移動させることができ、固定台の防水及び防塵を実現することができ、使用しない際は、蓋板が自動的に蓋をし、防水シャッターの作動が感応式の全自動で行われ、強化柱が自動的に位置決めされ、防水効果及び浸水防止効果を高めることができる感応式全自動電動防水シャッター及びその自動位置決め強化柱が求められていた。
【先行技術文献】
【特許文献】
【０００５】
【特許文献１】台湾実用新案登録第４８３４７８号明細書
【特許文献２】米国特許第６７３７９６８Ｂ１号明細書
【発明の概要】
【発明が解決しようとする課題】
【０００６】
本発明の主な目的は、高い防水効果を実現し、浸水を防止し、作動時の安全性を確保することができ、スラットの強度を高め、スラットを安定的に移動させることができ、設備が損壊するのを防止し、気密性の高い防水効果を実現し、スラットの収納構造が簡単であり、使用が簡単であり、スラットの構造を保護することができ、スラットの使用年数を延長することができ、強化柱を安定的に移動させることができ、固定台の防水及び防塵を実現することができ、使用しない際は、蓋板が自動的に蓋をし、防水シャッターの作動が感応式の全自動で行われ、強化柱が自動的に位置決めされ、防水効果及び浸水防止効果を高めることができる感応式全自動電動防水シャッター及びその自動位置決め強化柱を提供することにある。
【課題を解決するための手段】
【０００７】
上述の課題を解決するために、請求項１の発明は、門板、ケーシング、２つの外枠、収納装置、下圧油圧シリンダ、側圧油圧シリンダ、水位検出器、強化柱及び駆動装置を備える感応式全自動電動防水シャッター及びその自動位置決め強化柱であって、門板は、複数のスラットからなり、複数のスラットは、２つの外枠内に配置されるか、或いは、収納装置内に収納され、ケーシングは、門板の上方に設置され、内部には、モータ、油圧ポンプ、自動制御器、無停電システム、収納装置、下圧油圧シリンダ及び駆動装置が設けられ、２つの外枠は、門板の両側に対向配置され、２つの外枠間には、複数のスラットが配置され、収納装置は、左右内壁の水平方向に吊レールがそれぞれ設けられ、垂直方向にガイドレールがそれぞれ設けられ、各ガイドレールの一方の端部には、互いに連通する支持レールがそれぞれ接続され、各吊レールと各ガイドレールとが最も接近する部分には、歯車がそれぞれ設置され、各歯車上には、チェーンが噛合され、各チェーンは、各吊レール及び各ガイドレールに沿って移動し、下圧油圧シリンダは、ケーシング内に設置され、下端には、門板を圧迫する押圧部が設けられ、側圧油圧シリンダは、外枠内に設置され、下端には、押圧ロッドが接続され、水位検出器は、外枠側部の地面に設置され、所定の水位を検出すると、防水システムを自動的に起動し、強化柱は、門板後方に設置され、上端に設置される縦型モータと駆動装置内に設置される水平モータとによって駆動されて横方向に移動し、強化柱下端の内部空間には、ピン及び縦型モータが設けられ、駆動装置は、ケーシング内の下方に設置され、２つの内壁には、固定プラグ及び軸受セットがそれぞれ設けられ、２つの固定プラグ内には、ガイドロッドの両端がそれぞれ固定され、２つの軸受セット内には、ガイドネジロッド及び伝動軸の一方の端部がそれぞれ固定され、ガイドネジロッド及び伝動軸の他方の端部は、互いに対向接続され、縦型モータは、強化柱上端に設置され、水平モータは、駆動装置内に設置されることを特徴とする感応式全自動電動防水シャッター及びその自動位置決め強化柱である。
【０００８】
請求項２の発明は、複数のスラットの上端には、上ストッパ片、Ｖ形凹溝及び固定孔がそれぞれ設けられ、複数のスラットの下端には、下ストッパ片、逆Ｖ形凸角部及び２つの固定ブロックがそれぞれ設けられ、複数のスラットの内部空間には、複数の隔板が設けられることにより、複数のチャンバが形成され、Ｖ形凹溝の表面と、逆Ｖ形凸角部の表面と、スラットと外枠との間の表面と、には、防水ゴム板がそれぞれ貼設され、下圧油圧シリンダの押圧部の押圧を受けるＶ形凹溝の表面には、ガスケットが貼設されることを特徴とする請求項１に記載の感応式全自動電動防水シャッター及びその自動位置決め強化柱である。
【０００９】
請求項３の発明は、複数のスラットの固定孔には、第１の軸ロッドの一方の端部が挿入され、第１の軸ロッドの他方の端部は、チェーンに貫設される上、軸受セットに嵌設され、複数のスラットの固定ブロックには、固定片が螺着され、固定片は、第２の軸ロッドを有し、第２の軸ロッドの一方の端部には、ガイドホイールが嵌設されることを特徴とする請求項２に記載の感応式全自動電動防水シャッター及びその自動位置決め強化柱である。
【００１０】
請求項４の発明は、外枠内に、門板が地面に接触する際の異常を検出する赤外線検出器が設けられか、或いは、防水シャッターの外部に、人、車両、物などの通過を検出する赤外線検出器が装着されることを特徴とする請求項１に記載の感応式全自動電動防水シャッター及びその自動位置決め強化柱である。
【００１１】
請求項５の発明は、収納装置の内部には、複数のスラットを停止させる２つのストッパが設けられ、支持レールの開口には、外部に拡張するガイド口が設けられ、収納装置の吊レールの上方には、固定板及びチェーン保護板が設置されることを特徴とする請求項１に記載の感応式全自動電動防水シャッター及びその自動位置決め強化柱である。
【００１２】
請求項６の発明は、下圧油圧シリンダ又は側圧油圧シリンダは、必要に応じ、１つ又は複数設置されることを特徴とする請求項１に記載の感応式全自動電動防水シャッター及びその自動位置決め強化柱である。
【００１３】
請求項７の発明は、強化柱の上部は、駆動装置のガイドロッド及びガイドネジロッド上に可動跨設され、ピンは、縦型モータによって駆動されてレールに設置される固定台に挿入固定され、強化柱の底部にボールが設けられることにより、レール上において強化柱を安定的に横方向に移動させ、固定台は、蓋板及びバネを有することを特徴とする請求項１に記載の感応式全自動電動防水シャッター及びその自動位置決め強化柱である。
【００１４】
請求項８の発明は、水位検出器及び赤外線検出器は、検出を行い、自動制御器に信号を伝送し、自動制御器は、信号に基づいて、防水シャッター、下圧油圧シリンダ、側圧油圧シリンダ及び強化柱の開閉又は移動を制御することを特徴とする請求項１に記載の感応式全自動電動防水シャッター及びその自動位置決め強化柱である。
【００１５】
請求項９の発明は、感応式全自動電動防水シャッター及びその自動位置決め強化柱であって、感応式全自動電動防水シャッターは、門板、ケーシング、２つの外枠及び収納装置を備え、門板は、複数のスラットからなり、複数のスラットは、２つの外枠内に配置されるか、或いは、収納装置内に収納され、ケーシングは、門板の上方に設置され、内部には、モータ、油圧ポンプ、自動制御器、無停電システム及び収納装置が設けられ、２つの外枠は、門板の両側に対向配置され、２つの外枠間には、複数のスラットが配置され、収納装置は、左右内壁の水平方向に吊レールがそれぞれ設けられ、垂直方向にガイドレールがそれぞれ設けられ、各ガイドレールの一方の端部には、互いに連通する支持レールがそれぞれ接続され、各吊レールと各ガイドレールとが最も接近する部分には、歯車がそれぞれ設置され、各歯車上には、チェーンが噛合され、各チェーンは、各吊レール及び各ガイドレールに沿って移動することを特徴とする感応式全自動電動防水シャッター及びその自動位置決め強化柱である。
【００１６】
請求項１０の発明は、感応式全自動電動防水シャッター及びその自動位置決め強化柱であって、自動位置決め強化柱は、強化柱及び駆動装置を備え、強化柱は、感応式全自動電動防水シャッターの門板後方に設置され、上端に設置される縦型モータと駆動装置内に設置される水平モータとによって駆動されて横方向に移動し、強化柱下端の内部空間には、ピン及び縦型モータが設けられ、駆動装置は、感応式全自動電動防水シャッターのケーシング内の下方に設置され、２つの内壁には、固定プラグ及び軸受セットがそれぞれ設けられ、２つの固定プラグ内には、ガイドロッドの両端がそれぞれ固定され、２つの軸受セット内には、ガイドネジロッド及び伝動軸の一方の端部がそれぞれ固定され、ガイドネジロッド及び伝動軸の他方の端部は、互いに対向接続され、縦型モータは、強化柱上端に設置され、水平モータは、駆動装置内に設置されることを特徴とする感応式全自動電動防水シャッター及びその自動位置決め強化柱である。
【発明の効果】
【００１７】
感応式全自動電動防水シャッター及びその自動位置決め強化柱は、高い防水効果を実現し、浸水を防止し、作動時の安全性を確保することができ、スラットの強度を高め、スラットを安定的に移動させることができ、設備が損壊するのを防止し、気密性の高い防水効果を実現し、スラットの収納構造が簡単であり、使用が簡単であり、スラットの構造を保護することができ、スラットの使用年数を延長することができ、強化柱を安定的に移動させることができ、固定台の防水及び防塵を実現することができ、使用しない際は、蓋板が自動的に蓋をし、防水シャッターの作動が感応式の全自動で行われ、強化柱が自動的に位置決めされ、防水効果及び浸水防止効果を高めることができる。
【図面の簡単な説明】
【００１８】
【図１】本発明の感応式全自動電動防水シャッター及びその自動位置決め強化柱を示す正面断面図である。
【図２】本発明の感応式全自動電動防水シャッター及びその自動位置決め強化柱を示す側面断面図である。
【図３】本発明の感応式全自動電動防水シャッター及びその自動位置決め強化柱の駆動装置を示す平面断面図である。
【図４】図２の一部を拡大した側面断面図である。
【図５】本発明の感応式全自動電動防水シャッター及びその自動位置決め強化柱を示す斜視図である。
【図６】本発明の感応式全自動電動防水シャッター及びその自動位置決め強化柱のスラットを示す側面断面図である。
【図７】本発明の感応式全自動電動防水シャッター及びその自動位置決め強化柱を示す斜視図である。
【図８】本発明の感応式全自動電動防水シャッター及びその自動位置決め強化柱を示す分解斜視図である。
【図９】本発明の感応式全自動電動防水シャッター及びその自動位置決め強化柱を示す正面図である。
【図１０】本発明の感応式全自動電動防水シャッター及びその自動位置決め強化柱のスラットを示す斜視図である。
【図１１】本発明の感応式全自動電動防水シャッター及びその自動位置決め強化柱のスラットの結合状態を示す斜視図である。
【図１２】本発明の感応式全自動電動防水シャッター及びその自動位置決め強化柱のスラットの結合状態を示す他の角度からの斜視図である。
【図１３】本発明の感応式全自動電動防水シャッター及びその自動位置決め強化柱のスラットの結合状態を示す平面図である。
【図１４】本発明の感応式全自動電動防水シャッター及びその自動位置決め強化柱のスラットがケーシングから出入する第１の状態を示す側面図である。
【図１５】本発明の感応式全自動電動防水シャッター及びその自動位置決め強化柱のスラットがケーシングから出入する第２の状態を示す側面図である。
【図１６】本発明の感応式全自動電動防水シャッター及びその自動位置決め強化柱のスラットがケーシングから出入する第３の状態を示す側面図である。
【図１７】本発明の感応式全自動電動防水シャッター及びその自動位置決め強化柱のスラットがケーシングから出入する第４の状態を示す側面図である。
【図１８】本発明の感応式全自動電動防水シャッター及びその自動位置決め強化柱の収納装置の固定板を示す側面図である。
【図１９】図１８の拡大図である。
【図２０】本発明の感応式全自動電動防水シャッター及びその自動位置決め強化柱の収納装置のチェーン保護板を示す側面図である。
【図２１】図２０の拡大図である。
【図２２】本発明の感応式全自動電動防水シャッター及びその自動位置決め強化柱の下圧油圧シリンダの作動状態を示す側面図である。
【図２３】本発明の感応式全自動電動防水シャッター及びその自動位置決め強化柱の側圧油圧シリンダの作動状態を示す側面図である。
【図２４】特許文献１の「脱出構造を有するシャッター」を示す正面図である。
【図２５】特許文献２の「受動型赤外線検出装置を有する可動バリア制御装置（Ｍｏｖａｂｌｅ  Ｂａｒｒｉｅｒ  Ｏｐｅｒａｔｏｒ  Ｈａｖｉｎｇ  Ｐａｓｓｉｖｅ  Ｉｎｆｒａｒｅｄ  Ｄｅｔｅｃｔｏｒ）」を示す斜視図である。
【発明を実施するための形態】
【００１９】
本発明の目的、特徴及び効果を示す実施形態を図面に沿って詳細に説明する。
【００２０】
図１及び図２を参照する。図１は、本発明の感応式全自動電動防水シャッター及びその自動位置決め強化柱を示す正面断面図である。図２は、本発明の感応式全自動電動防水シャッター及びその自動位置決め強化柱を示す側面断面図である。図１及び図２に示すように、本発明の感応式全自動電動防水シャッター及びその自動位置決め強化柱は、門板１、ケーシング２、２つの外枠３、収納装置４、下圧油圧シリンダ５、側圧油圧シリンダ６、水位検出器７、強化柱８及び駆動装置９を含む。門板１は、複数のスラット１１からなる。複数のスラット１１は、２つの外枠３内に配置されるか、或いは、収納装置４内に収納される。ケーシング２は、門板１の上方に設置される。ケーシング２の内部には、モータ２１、油圧ポンプ２２、自動制御器２３、無停電システム２４、収納装置４、下圧油圧シリンダ５及び駆動装置９が設けられる。２つの外枠３は、門板１の両側に対向配置され、２つの外枠３間には、複数のスラット１１が配置される。収納装置４の左右内壁の水平方向には、吊レール４１がそれぞれ設けられ、垂直方向には、ガイドレール４２がそれぞれ設けられる。各ガイドレール４２の一方の端部には、互いに連通する支持レール４３がそれぞれ接続される。各吊レール４１と各ガイドレール４２とが最も接近する部分には、歯車４５がそれぞれ設置される。各歯車４５上には、チェーン４６が噛合される。各チェーン４６は、各吊レール４１及び各ガイドレール４２に沿って移動する。下圧油圧シリンダ５は、ケーシング２内に設置され、下端には、門板１を圧迫する押圧部５１が設けられる。側圧油圧シリンダ６は、外枠３内に設置され、下端には、押圧ロッド６１が接続される。水位検出器（図７参照）７は、外枠３側部の地面に設置され、所定の水位を検出すると、防水システムを自動的に起動する。強化柱８は、門板１後方に設置され、上端に設置される縦型モータ９１と駆動装置９内に設置される水平モータ９２とによって駆動されて横方向に移動する。強化柱８下端の内部空間には、ピン８１及び縦型モータ８２が設けられる。駆動装置９は、ケーシング２内の下方に設置され、２つの内壁には、固定プラグ９３及び軸受セット９５がそれぞれ設けられる。２つの固定プラグ９３内には、ガイドロッド９４の両端がそれぞれ固定される（図３参照）。２つの軸受セット９５内には、ガイドネジロッド９６及び伝動軸９７の一方の端部がそれぞれ固定される。ガイドネジロッド９６及び伝動軸９７の他方の端部は、互いに対向接続される。縦型モータ９１は、強化柱８上端に設置され、水平モータ９２は、駆動装置９内に設置される。
【００２１】
図３を参照する。図３は、本発明の感応式全自動電動防水シャッター及びその自動位置決め強化柱の駆動装置を示す平面断面図である。図３に示すように、強化柱８の上部は、駆動装置９のガイドロッド９４及びガイドネジロッド９６上に可動跨設される。駆動装置９の２つの内壁には、固定プラグ９３及び軸受セット９５がそれぞれ設けられる。２つの固定プラグ９３内には、ガイドロッド９４の両端がそれぞれ固定される。２つの軸受セット９５内には、ガイドネジロッド９６及び伝動軸９７の一方の端部がそれぞれ固定される。ガイドネジロッド９６及び伝動軸９７の他方の端部は、互いに対向接続される。
【００２２】
図４を参照する。図４は、図２の一部を拡大した側面断面図である。図４に示すように、強化柱８のピン８１は、縦型モータ８２の駆動により、レール８４に設置される強化柱８の固定台８４１に挿入固定される。強化柱８の底部にボール８３が設けられることにより、レール８４上において強化柱８を安定的に横方向に移動させることができる。固定台８４１は、蓋板８４２及びバネ８４３を有する。強化柱８のピン８１は、縦型モータ８２によって駆動された際、先ず、固定台８４１の蓋板８４２に当接される。その後、蓋板８４２が固定台８４１の底部まで押圧され、バネ８４３が圧縮され、強化柱８のピン８１と固定台８４１との挿入固定が完了する。反対に、縦型モータ８２により、ピン８１が強化柱８内部に回収されると、バネ８４３を圧縮する外力が無くなるため、バネ８４３の復元力により、蓋板８４２が本来の位置に押し戻され、固定台８４１に蓋をする作業が自動的に行われる。固定台８４１の蓋板８４２及びバネ８４３の構造と、強化柱８の逆Ｌ形状構造と、強化柱８のピン８１が固定台８４１に挿入される構造と、により、固定台８４１の防水及び防塵が実現され、使用しない際は、蓋板８４２によって自動的に蓋がされるため、浸水防止の効果が高められる。
【００２３】
図５を参照する。図５は、本発明の感応式全自動電動防水シャッター及びその自動位置決め強化柱を示す斜視図である。図５に示すように、強化柱８は、門板１の後方に設置される。門板１の後方に１つ又は複数の強化柱８を配列することができるため、防水シャッターの幅に対応させることができる。また、強化柱８は、逆Ｌ形状を呈し、上部にガイドロッド９４及びガイドネジロッド９６が貫設され、底部にレール８４に設けられるボールを有する。これにより、門板１の後方において、強化柱８を安定的に横方向に移動させ、強化柱８が横方向に移動する際の揺れを減少させ、強化柱８を安定的に移動させることができる。更に、強化柱８は、水圧によってスラット１１が変形するのを減少させることができるため、防水能力及び浸水防止能力を高めることができる。
【００２４】
図６を参照する。図６は、本発明の感応式全自動電動防水シャッター及びその自動位置決め強化柱のスラットを示す側面断面図である。図６に示すように、複数のスラット１１の上端には、上ストッパ片１１１、Ｖ形凹溝１１２及び固定孔１１３がそれぞれ設けられる。スラット１１の下端には、下ストッパ片１１６、逆Ｖ形凸角部１１７及び少なくとも１つの固定ブロック１１５がそれぞれ設けられる。スラット１１の内部空間には、複数の隔板１１４が設けられることにより、複数のチャンバ１１４１が形成される。Ｖ形凹溝１１２及び逆Ｖ形凸角部１１７の表面には、防水ゴム板１１８１がそれぞれ貼設される。また、スラット１１と外枠３との間の表面には、防水ゴム板１１８２がそれぞれ貼設される。また、下圧油圧シリンダ５の押圧部５１の押圧を受けるＶ形凹溝１１２の表面には、ガスケット１１９を貼設することができる（図１４参照）。隔板１１４が設けられることにより、スラット１１の強度が強化される。
【００２５】
図７〜図９を参照する。図７は、本発明の感応式全自動電動防水シャッター及びその自動位置決め強化柱を示す斜視図である。図８は、本発明の感応式全自動電動防水シャッター及びその自動位置決め強化柱を示す分解斜視図である。図９は、本発明の感応式全自動電動防水シャッター及びその自動位置決め強化柱を示す正面図である。図７〜図９に示すように、外枠３内には、門板１が地面に接触する際の異常を検出する赤外線検出器１０が設けられる。下圧油圧シリンダ５又は側圧油圧シリンダ６は、必要に応じ、１つ又は複数設置することができる。水位検出器７及び赤外線検出器１０は、検出を行い、自動制御器２３に信号を伝送する。自動制御器２３は、信号に基づいて、防水シャッター１、下圧油圧シリンダ５、側圧油圧シリンダ６及び強化柱８の開閉又は移動を制御することができる。或いは、防水シャッター１の外部に、人、車両、物などの通過を検出する赤外線検出器１０が装着され、赤外線検出器１０が異常を検出すると、自動制御器２３に信号を伝送し、自動制御器２３が防水シャッターを閉めるのを即座に停止するため、安全性が確保される。
【００２６】
洪水が発生し、水位検出器７が所定の水位を検出して自動制御器２３に信号を伝送すると、自動制御器２３は、モータ２１、縦型モータ９１及び水平モータ９２を起動し、レール８４をスライドするボール８３を利用して、強化柱８を固定台８４１まで横方向に移動させる。また、自動制御器２３は、強化柱８の縦型モータ８２を起動して固定台８４１にピン８１を挿入して固定し、門板１の各スラット１１を下降させ、各層を位置合わせして密着させる。また、下圧油圧シリンダ５が押圧部５１を下降させ、スラット１１を下方に押圧し、ガスケット１１９により、地面との間の防水性が確保される。その後、側圧油圧シリンダ６が押圧ロッド６１を下方に移動させて当接ロッド６２を下降させ、当接ロッド６２が水平角度まで下降すると、押圧板６３がスラット１１を平面で押圧することにより、スラット１と防水ゴム板１１８２とが更に密着し、気密性の高い防水及び防災効果を実現することができる。
【００２７】
或いは、自動制御器２３がモータ２１、縦型モータ９１及び水平モータ９２を起動すると、先に、門板１の各スラット１１を下降させ、各層を位置合わせして密着させ、下圧油圧シリンダ５が押圧部５１を下降させ、スラット１１を下方に押圧し、ガスケット１１９により、地面との間の防水性が確保される。その後、側圧油圧シリンダ６が押圧ロッド６１を下方に移動させて当接ロッド６２を下降させ、当接ロッド６２が水平角度まで下降すると、押圧板６３がスラット１１を平面で押圧する。次に、レール８４をスライドするボール８３を利用して、強化柱８を固定台８４１まで横方向に移動させる。次に、強化柱８の縦型モータ８２を起動して固定台８４１にピン８１を挿入して固定するステップでもよく、同様に、防水効果及び防災効果を実現することができる。
【００２８】
水が引くと、水位検出器７が自動制御器２３に信号を再び伝送する。自動制御器２３は、先ず、強化柱８の縦型モータ８２により、固定台８４１からピン８２を回収する。その後、レール８４をスライドするボール８３により、強化柱８を横方向に移動させて元の位置に復帰させる。次に、下圧油圧シリンダ５及び側圧油圧シリンダ６を復帰して位置決めする。また、各スラット１１を収納装置４に回収する。或いは、自動制御器２３は、先ず下圧油圧シリンダ５及び側圧油圧シリンダ６を復帰して位置決めし、各スラット１１を収納装置４に回収する。次に、強化柱８の縦型モータ８２により、固定台８４１からピン８１を回収する。次に、レール８４をスライドするボール８３により、強化柱８を横方向に移動させて元の位置に復帰させる。以上のステップにより、感応式全自動電動防水シャッター及びその自動位置決め強化柱の復帰ステップが完了する。水位検出器７及び赤外線検出器１０の検出と、自動制御器２３の信号制御により、感応式全自動電動防水シャッターの作動と、強化柱８の自動位置決めと、が実現される。
【００２９】
図１０〜図１３を示す。図１０は、本発明の感応式全自動電動防水シャッター及びその自動位置決め強化柱のスラットを示す斜視図である。図１１は、本発明の感応式全自動電動防水シャッター及びその自動位置決め強化柱のスラットの結合状態を示す斜視図である。図１２は、本発明の感応式全自動電動防水シャッター及びその自動位置決め強化柱のスラットの結合状態を示す他の角度からの斜視図である。図１３は、本発明の感応式全自動電動防水シャッター及びその自動位置決め強化柱のスラットの結合状態を示す平面図である。図１０〜図１３に示すように、スラット１１の固定孔１１３（図６参照）には、第１の軸ロッド１２の一方の端部が挿入される。第１の軸ロッド１２の他方の端部は、チェーン４６に貫設される上、軸受セット１３に嵌設される。複数のスラット１１の固定ブロック１１５には、固定片１４が螺着される。固定片１４は、第２の軸ロッド１５を有する。第２の軸ロッド１５の一方の端部には、ガイドホイール１６が嵌設される。
【００３０】
図１４〜図１７を参照する。図１４は、本発明の感応式全自動電動防水シャッター及びその自動位置決め強化柱のスラットがケーシングから出入する第１の状態を示す側面図である。図１５は、本発明の感応式全自動電動防水シャッター及びその自動位置決め強化柱のスラットがケーシングから出入する第２の状態を示す側面図である。図１６は、本発明の感応式全自動電動防水シャッター及びその自動位置決め強化柱のスラットがケーシングから出入する第３の状態を示す側面図である。図１７は、本発明の感応式全自動電動防水シャッター及びその自動位置決め強化柱のスラットがケーシングから出入する第４の状態を示す側面図である。図１４〜図１７に示すように、支持レール４３の開口には、外部に拡張するガイド口４４が設けられる。ガイドレール４２に沿って、一列に重置されている防水シャッターの各スラット１１をケーシング２の収納装置４内に収納する場合、先ず、モータ２１によって歯車４５を回動させてチェーン４６を収納装置４の方向に移動させる。これにより、重置されていたスラット１１がガイドレール４２のチェーン４６に沿って移動し、ガイドレール４２に沿って収納装置４の方向に順番に移動する。スラット１１のチェーン４６上に枢着される軸受セット１３がチェーン４６と共に移動すると共に、複数のスラット１１のガイドホイール１６を有する端部が支持レール４３とガイドレール４２との接合部分まで移動し、接合部分の突出部によって分岐し、支持レール４３に沿って収納装置４の方向に移動する。これにより、各スラット１１は、歯車４５から吊レール４１に移動する際、確実に分岐させることができる。また、吊レール４１の傾斜により、軸受セット１３は、吊レール４１の方向にスムーズに移動し、吊レール４１上に吊設される。以上のステップにより、収納装置４は、スラット１１を自動的に配列収納することができるため、収納及び使用を簡単に行うことができる。また、図１８〜図２１を参照する。図１８は、本発明の感応式全自動電動防水シャッター及びその自動位置決め強化柱の収納装置の固定板を示す側面図である。図１９は、図１８の拡大図である。図２０は、本発明の感応式全自動電動防水シャッター及びその自動位置決め強化柱の収納装置のチェーン保護板を示す側面図である。図２１は、図２０の拡大図である。図１８〜図２１に示すように、収納装置４の吊レール４１の上方には、固定板４９１及びチェーン保護板４９２が設置される。固定板４９１により、吊レール４１に固定空間が形成され、軸受セット１３及びスラット１１が吊レール４１を移動する際の安定性を更に高め、吊レール４１から離脱するのを防止することができる。また、チェーン保護板４９２により、スラット１１を収納したり、送り出したりする際、チェーン４６の節目が収縮して引っかかり、スラット１１の昇降がスムーズに行われなくなるのを防止することができる。即ち、チェーン保護板４９２が設けられることにより、スラット１１が下降する際、チェーン４６を強制的に展開させるため、スラット１１の昇降を更にスムーズにすることができる。
【００３１】
ケーシング２内のスラット１１を収納装置４外に移動させる場合、先ず、モータ２１によって歯車４５を駆動してチェーン４６を吊レール４１からガイドレール４２に順番に移動させる。これにより、一列に配列していたスラット１１がガイドレール４２内のチェーン４６に沿って移動し、ガイドレール４２に沿って収納装置４外に順番に移動する。また、複数のスラット１１の軸受セット１３がチェーン４６に沿って移動すると共に、ガイドホイール１６がガイド口４４にガイドされることにより、下方の支持レール４３中に移動する。スラット１１は、支持レール４３の位置規制によって揺れが減少される上、ガイドレール４２に安定的に移動し、ガイドレール４２のガイドと、チェーン４６の駆動と、により、下方に重置される。以上のステップにより、外枠３内にスラット１１が自動的に配列され、密着された防水シャッターが形成される。即ち、軸受セット１３、ガイドレール４２及び支持レール４３により、スラット１１が上昇及び下降する際に揺れたり、斜めになったりするのを防止することができるため、スラット１１を安定的に移動させ、設備が損壊するのを減少させることができる。
【００３２】
収納装置４の内部には、スラット１１を停止させる２つのストッパ４８が設けられる。ストッパ４８により、スラット１１がぶつかって損壊するのを減少させることができるため、スラット１１の構造を保護し、スラットの使用年数を延長することができる。また、チェーン４６が枢着される各スラット１１間には、所定の隙間が存在するが、複数のスラット１１がチェーン４６に沿ってケーシング２内に移動したり、ケーシング２から外部に移動する際、複数のスラット１１間に上ストッパ片１１１及び下ストッパ片１１６が交差して重置される（図６参照）ため、各スラット１１間に隙間が形成されない。これにより、防水効果及び浸水防止効果が実現される。
【００３３】
図２２を参照する。図２２は、本発明の感応式全自動電動防水シャッター及びその自動位置決め強化柱の下圧油圧シリンダの作動状態を示す側面図である。図２２に示すように、各スラット１１が下降し、各層が密接された後、下圧油圧シリンダ５が押圧部５１を下方に押圧することにより、スラット１１の各層は、ガスケット１１９及び地面によって更に密接されるため、気密性を高め、防水及び防災の機能を高めることができる。
【００３４】
図２３を参照する。図２３は、本発明の感応式全自動電動防水シャッター及びその自動位置決め強化柱の側圧油圧シリンダの作動状態を示す側面図である。各スラット１１が下降し、各層が密接された後、下圧油圧シリンダ５が押圧部５１を下方に押圧することにより、スラット１１の各層は、ガスケット１１９及び地面によって更に密接されるため、防水効果を高めることができる（図２２参照）。その後、図２３に示すように、側圧油圧シリンダ６により、押圧ロッド６１が当接ロッド６２を下降させ、当接ロッド６２が水平角度まで下降すると、押圧板６３がスラット１１を平面で押圧するため、スラット１１と防水ゴム板１１８２とが更に密着し、気密性を高め、防水及び防災効果を実現することができる。
【００３５】
以上の説明は、本発明の好適な実施形態を示すものである。本発明の第２実施形態及び第３実施形態による感応式全自動電動防水シャッター及びその自動位置決め強化柱の説明を以下に示す。
【００３６】
図１及び図２を参照する。本発明の第２実施形態による感応式全自動電動防水シャッター及びその自動位置決め強化柱の電動防水シャッターは、門板１、ケーシング２、２つの外枠３及び収納装置４を含む。門板１は、複数のスラット１１からなる。スラット１１は、２つの外枠３内に配置されるか、或いは、収納装置４内に収納される。ケーシング２は、門板１の上方に設置される。ケーシング２の内部には、モータ２１、油圧ポンプ２２、自動制御器２３、無停電システム２４及び収納装置４が設けられる。２つの外枠３は、門板１の両側に対向配置され、２つの外枠３間には、複数のスラット１１が配置される。収納装置４の左右内壁の水平方向には、吊レール４１がそれぞれ設けられ、垂直方向には、ガイドレール４２がそれぞれ設けられる。各ガイドレール４２の一方の端部には、互いに連通する支持レール４３がそれぞれ接続される。各吊レール４１と各ガイドレール４２とが最も接近する部分には、歯車４５がそれぞれ設置される。各歯車４５上には、チェーン４６が噛合される。各チェーン４６は、各吊レール４１及び各ガイドレール４２に沿って移動する。
【００３７】
図１及び図２を参照する。本発明の第３実施形態による感応式全自動電動防水シャッター及びその自動位置決め強化柱の自動位置決め強化柱は、強化柱８及び駆動装置９を含む。強化柱８は、門板１の後方に設置される。また、上端に設置される縦型モータ９１と、駆動装置９内に設置される水平モータ９２と、によって横方向に移動する。強化柱８の下端の内部空間には、ピン８１及び縦型モータ８２が設けられる。駆動装置９は、ケーシング２内の下方に設置される。駆動装置９の２つの内壁には、固定プラグ９３及び軸受けセット９５がそれぞれ設けられる。２つの固定プラグ９３内には、ガイドロッド９４の両端が固定される（図３参照）。２つの軸受セット９５内には、ガイドネジロッド９６及び伝動軸９７の一方の端部が固定される。ガイドネジロッド９６と伝動軸９７の他方の端部とは、互いに対向接続される。強化柱８の上端には、縦型モータ９１が設けられる。駆動装置９内には、水平モータ９２が設けられる。
【００３８】
説明したことから分かるように、本発明の感応式全自動電動防水シャッター及びその自動位置決め強化柱は、高い防水効果を実現し、浸水を防止し、作動時の安全性を確保することができ、スラットの強度を高め、スラットを安定的に移動させることができ、設備が損壊するのを防止し、気密性の高い防水効果を実現し、スラットの収納構造が簡単であり、使用が簡単であり、スラットの構造を保護することができ、スラットの使用年数を延長することができ、強化柱を安定的に移動させることができ、固定台の防水及び防塵を実現することができ、使用しない際は、蓋板が自動的に蓋をし、防水シャッターの作動が感応式の全自動で行われ、強化柱が自動的に位置決めされ、防水効果及び浸水防止効果を高めることができる。即ち、高い実用価値を有し、特許要件である新規性、進歩性及び産業上の利用性を有する。
【００３９】
以上の説明は、本発明の好適な実施形態を示すものであり、本発明の特許請求の範囲に基づく同等効果である変更は、何れも、本発明に含まれる。
【符号の説明】
【００４０】
１  門板
１１  スラット
１１１  上ストッパ片
１１２  Ｖ形凹溝
１１３  固定孔
１１４  隔板
１１４１  チャンバ
１１５  固定ブロック
１１６  下ストッパ片
１１７  逆Ｖ形凸角部
１１８１  防水ゴム板
１１８２  防水ゴム板
１１９  ガスケット
１２  第１の軸ロッド
１３  軸受セット
１４  固定片
１５  第２の軸ロッド
１６  ガイドホイール
２  ケーシング
２１  モータ
２２  油圧ポンプ
２３  自動制御器
２４  無停電システム
３  外枠
４  収納装置
４１  吊レール
４２  ガイドレール
４３  支持レール
４４  ガイド口
４５  歯車
４６  チェーン
４７  ベルト
４８  ストッパ
４９１  固定板
４９２  チェーン保護板
５  下圧油圧シリンダ
５１  押圧部
６  側圧油圧シリンダ
６１  押圧ロッド
６２  当接ロッド
６３  押圧板
７  水位検出器
８  強化柱
８１  ピン
８２  縦型モータ
８３  ボール
８４  レール
８４１  固定台
８４２  蓋板
８４３  バネ
９  駆動装置
９１  縦型モータ
９２  水平モータ
９３  固定プラグ
９４  ガイドロッド
９５  軸受セット
９６  ガイドネジロッド
９７  伝動軸
１０  赤外線検出器
【図１】
2014227826.tif 000003
【図２】
2014227826.tif 000004
【図３】
2014227826.tif 000005
【図４】
2014227826.tif 000006
【図５】
2014227826.tif 000007
【図６】
2014227826.tif 000008
【図７】
2014227826.tif 000009
【図８】
2014227826.tif 000010
【図９】
2014227826.tif 000011
【図１０】
2014227826.tif 000012
【図１１】
2014227826.tif 000013
【図１２】
2014227826.tif 000014
【図１３】
2014227826.tif 000015
【図１４】
2014227826.tif 000016
【図１５】
2014227826.tif 000017
【図１６】
2014227826.tif 000018
【図１７】
2014227826.tif 000019
【図１８】
2014227826.tif 000020
【図１９】
2014227826.tif 000021
【図２０】
2014227826.tif 000022
【図２１】
2014227826.tif 000023
【図２２】
2014227826.tif 000024
【図２３】
2014227826.tif 000025
【図２４】
2014227826.tif 000026
【図２５】
2014227826.tif 000027
【手続補正書】
【提出日】平成26年3月25日(2014.3.25)
【手続補正１】
【補正対象書類名】明細書
【補正対象項目名】全文
【補正方法】変更
【補正の内容】
【発明の詳細な説明】
【技術分野】
【０００１】
本発明は、防水シャッターに関し、特に、スラット、下圧油圧シリンダ、側圧油圧シリンダ、自動位置決め強化柱、水位検出器及び赤外線検出器を有する感応式全自動電動防水シャッター及びその自動位置決め強化柱に関する。
【背景技術】
【０００２】
本発明に関連する従来技術として、図２７に示す特許文献１の「脱出構造を有するシャッター」が挙げられる。特許文献１の「脱出構造を有するシャッター」は、複数のスラット１１が接合されてなるシャッター１と、シャッター１の両側に設けられる２つの外柱２と、を有する。シャッター１は、下端のスラット１１’が離合式となっている。離合式のスラット１１’は、上方に接合される上スラットと、下方に接合される下スラットと、からなり、離合状態を制御する係合機構（図示せず）を介して組み立てられる。また、外柱２は、離合式のスラット１１’の高さに基づき、上段と下段とに分けられる。上段は、壁面に固定される固定外柱２ａであり、下段は、底端が地面に枢設される可動外柱２ｂである。係合部材（図示せず）により、可動外柱２ｂと固定外柱２ａとの結合状態が制御される。しかし、特許文献１の「脱出構造を有するシャッター」は、操作上の安全対策が施されてない上、防水機能を有さず、手動でシャッターの開閉を行わなくてはならないため、簡単に使用することができない。また、本発明の目的とする感応式全自動電動防水シャッターが有する効果を実現することができない。
【０００３】
本発明に関連するもう１つの従来技術として、図２８に示す特許文献２の「受動型赤外線検出装置を有する可動バリア制御装置（Ｍｏｖａｂｌｅ  Ｂａｒｒｉｅｒ  Ｏｐｅｒａｔｏｒ  Ｈａｖｉｎｇ  Ｐａｓｓｉｖｅ  Ｉｎｆｒａｒｅｄ  Ｄｅｔｅｃｔｏｒ）」が挙げられる。図２８に示すように、特許文献２の「受動型赤外線検出装置を有する可動バリア制御装置」は、車庫（ｇａｒａｇｅ）１２内の天板（ｃｅｉｌｉｎｇ）１４に車庫ドア制御装置（ｇａｒａｇｅ  ｄｏｏｒ  ｏｐｅｒａｔｏｒ）１０が装着される。車庫ドア制御装置１０は、複数のスラットを有する車庫ドア（ｍｕｌｔｉｐａｎｅｌ  ｇａｒａｇｅ  ｄｏｏｒ）１６を作動させることができる。複数のスラットを有する車庫ドア１６の両側には、複数のボール（ｒｏｌｌｅｒｓ）１８が設けられる。複数のボール１８は、車庫ドア１６の両側の軌道（ｔｒａｃｋｓ）２０内を回転移動する。車庫ドア制御装置１０は、制御ユニット（ｈｅａｄ  ｕｎｉｔ）２４、レール装置（ｒａｉｌ  ａｓｓｅｍｂｌｙ）２６、滑車（ｔｒｏｌｌｅｙ）２８及びアーム（ａｒｍ）３０を含む。アーム３０は、一方の端部が上スラット（ｕｐｐｅｒ  ｐｏｒｔｉｏｎ）３２に固定され、他方の端部が滑車２８に固定される。滑車２８は、レール装置２６内をスライドする。制御ユニット２４は、電動モータ（ｅｌｅｃｔｒｉｃ  ｍｏｔｏｒ）、スプロケット（ｓｐｒｏｃｋｅｔ）及びＲＦ受信器（ｒａｄｉｏ  ｆｒｅｑｕｅｎｃｙ  ｒｅｃｅｉｖｅｒ）５０により、滑車２８を駆動し、複数のスラットを有する車庫ドア１６の開閉を行う。しかし、特許文献２の「受動型赤外線検出装置を有する可動バリア制御装置」は、操作上の安全対策が施されてない上、防水機能を有さず、本発明の目的とする感応式全自動電動防水シャッターが有する効果を実現することができない。
【０００４】
そこで、高い防水効果を実現し、浸水を防止し、作動時の安全性を確保することができ、スラットの強度を高め、スラットを安定的に移動させることができ、設備が損壊するのを防止し、気密性の高い防水効果を実現し、スラットの収納構造が簡単であり、使用が簡単であり、スラットの構造を保護することができ、スラットの使用年数を延長することができ、強化柱を安定的に移動させることができ、固定台の防水及び防塵を実現することができ、使用しない際は、蓋板が自動的に蓋をし、防水シャッターの作動が感応式の全自動で行われ、強化柱が自動的に位置決めされ、防水効果及び浸水防止効果を高めることができる感応式全自動電動防水シャッター及びその自動位置決め強化柱が求められていた。
【先行技術文献】
【特許文献】
【０００５】
【特許文献１】台湾実用新案登録第４８３４７８号明細書
【特許文献２】米国特許第６７３７９６８Ｂ１号明細書
【発明の概要】
【発明が解決しようとする課題】
【０００６】
本発明の主な目的は、高い防水効果を実現し、浸水を防止し、作動時の安全性を確保することができ、スラットの強度を高め、スラットを安定的に移動させることができ、設備が損壊するのを防止し、気密性の高い防水効果を実現し、スラットの収納構造が簡単であり、使用が簡単であり、スラットの構造を保護することができ、スラットの使用年数を延長することができ、強化柱を安定的に移動させることができ、固定台の防水及び防塵を実現することができ、使用しない際は、蓋板が自動的に蓋をし、防水シャッターの作動が感応式の全自動で行われ、強化柱が自動的に位置決めされ、防水効果及び浸水防止効果を高めることができる感応式全自動電動防水シャッター及びその自動位置決め強化柱を提供することにある。
【課題を解決するための手段】
【０００７】
上述の課題を解決するために、請求項１の発明は、門板、ケーシング、２つの外枠、収納装置、下圧油圧シリンダ、側圧油圧シリンダ、水位検出器、強化柱及び駆動装置を備える感応式全自動電動防水シャッター及びその自動位置決め強化柱であって、門板は、複数のスラットからなり、複数のスラットは、２つの外枠内に配置されるか、或いは、収納装置内に収納され、ケーシングは、門板の上方に設置され、内部には、モータ、油圧ポンプ、自動制御器、無停電システム、収納装置、下圧油圧シリンダ及び駆動装置が設けられ、２つの外枠は、門板の両側に対向配置され、２つの外枠間には、複数のスラットが配置され、収納装置は、左右内壁の水平方向に吊レールがそれぞれ設けられ、垂直方向にガイドレールがそれぞれ設けられ、各ガイドレールの一方の端部には、互いに連通する支持レールがそれぞれ接続され、各吊レールと各ガイドレールとが最も接近する部分には、歯車がそれぞれ設置され、各歯車上には、チェーンが噛合され、各チェーンは、各吊レール及び各ガイドレールに沿って移動し、下圧油圧シリンダは、ケーシング又は外枠内に設置され、下端には、門板を圧迫する下圧片が設けられ、側圧油圧シリンダは、外枠内に設置され、下端には、押圧ロッドが接続され、水位検出器は、外枠側部の地面に設置され、所定の水位を検出すると、防水システムを自動的に起動し、強化柱は、門板後方に設置され、上端に設置される縦型モータ及び駆動装置内に設置される水平モータ又は手動操作によって駆動されて横方向に移動し、強化柱下端の内部空間には、ピン及び縦型モータが設けられ、駆動装置は、ケーシング内の下方に設置され、２つの内壁には、固定プラグ及び軸受セットがそれぞれ設けられ、２つの固定プラグ内には、ガイドロッドの両端がそれぞれ固定され、２つの軸受セット内には、ガイドネジロッド及び伝動軸の一方の端部がそれぞれ固定され、ガイドネジロッド及び伝動軸の他方の端部は、互いに対向接続され、縦型モータは、強化柱上端に設置され、水平モータは、駆動装置内に設置されることを特徴とする感応式全自動電動防水シャッター及びその自動位置決め強化柱である。
【０００８】
請求項２の発明は、複数のスラットの上端には、指詰め防止片、Ｖ形凹溝及び門板固定孔がそれぞれ設けられ、複数のスラットの下端には、指詰め防止片、逆Ｖ形凸角部及び２つのガイドホイール固定ブロックがそれぞれ設けられ、複数のスラットの内部空間には、複数の隔板が設けられることにより、複数のチャンバが形成され、Ｖ形凹溝の表面と、逆Ｖ形凸角部の表面と、スラットと外枠との間の表面と、には、防水ゴム板がそれぞれ貼設され、下圧油圧シリンダの下圧片の押圧を受けるＶ形凹溝の表面には、ガスケットが貼設されることを特徴とする請求項１に記載の感応式全自動電動防水シャッター及びその自動位置決め強化柱である。
【０００９】
請求項３の発明は、複数のスラットの門板固定孔には、軸ロッドの一方の端部が挿入され、軸ロッドの他方の端部は、チェーンに貫設される上、軸受セットに嵌設され、複数のスラットのガイドホイール固定ブロックには、ガイドホイール固定片が螺着され、ガイドホイール固定片には、ガイドホイールが嵌設されることを特徴とする請求項２に記載の感応式全自動電動防水シャッター及びその自動位置決め強化柱である。
【００１０】
請求項４の発明は、外枠内に、門板が地面に接触する際の異常を検出する赤外線検出器が設けられか、或いは、防水シャッターの外部に、人、車両、物などの通過を検出する赤外線検出器が装着されることを特徴とする請求項１に記載の感応式全自動電動防水シャッター及びその自動位置決め強化柱である。
【００１１】
請求項５の発明は、収納装置の内部には、複数のスラットを停止させる２つのストッパが設けられ、支持レールの開口には、外部に拡張するガイド口が設けられ、収納装置の吊レールの上方には、固定板及びチェーン保護板が設置され、前記吊りレールの上縁及び下縁には、フランジがそれぞれ設置されることを特徴とする請求項１に記載の感応式全自動電動防水シャッター及びその自動位置決め強化柱である。
【００１２】
請求項６の発明は、下圧油圧シリンダ又は側圧油圧シリンダは、必要に応じ、１つ又は複数設置されることを特徴とする請求項１に記載の感応式全自動電動防水シャッター及びその自動位置決め強化柱である。
【００１３】
請求項７の発明は、強化柱の上部は、駆動装置のガイドロッド及びガイドネジロッド上に可動跨設され、ピンは、縦型モータによって駆動されてレールに設置される固定台に挿入固定され、強化柱の底部にボールが設けられることにより、レール上において強化柱を安定的に横方向に移動させ、固定台は、蓋板及びバネを有することを特徴とする請求項１に記載の感応式全自動電動防水シャッター及びその自動位置決め強化柱である。
【００１４】
請求項８の発明は、水位検出器及び赤外線検出器は、検出を行い、自動制御器に信号を伝送し、自動制御器は、信号に基づいて、防水シャッター、下圧油圧シリンダ、側圧油圧シリンダ及び強化柱の開閉又は移動を制御することを特徴とする請求項１に記載の感応式全自動電動防水シャッター及びその自動位置決め強化柱である。
【００１５】
請求項９の発明は、感応式全自動電動防水シャッター及びその自動位置決め強化柱であって、感応式全自動電動防水シャッターは、門板、ケーシング、２つの外枠及び収納装置を備え、門板は、複数のスラットからなり、複数のスラットは、２つの外枠内に配置されるか、或いは、収納装置内に収納され、ケーシングは、門板の上方に設置され、内部には、モータ、油圧ポンプ、自動制御器、無停電システム及び収納装置が設けられ、２つの外枠は、門板の両側に対向配置され、２つの外枠間には、複数のスラットが配置され、収納装置は、左右内壁の水平方向に吊レールがそれぞれ設けられ、垂直方向にガイドレールがそれぞれ設けられ、各ガイドレールの一方の端部には、互いに連通する支持レールがそれぞれ接続され、各吊レールと各ガイドレールとが最も接近する部分には、歯車がそれぞれ設置され、各歯車上には、チェーンが噛合され、各チェーンは、各吊レール及び各ガイドレールに沿って移動することを特徴とする感応式全自動電動防水シャッター及びその自動位置決め強化柱である。
【００１６】
請求項１０の発明は、感応式全自動電動防水シャッター及びその自動位置決め強化柱であって、自動位置決め強化柱は、強化柱及び駆動装置を備え、強化柱は、感応式全自動電動防水シャッターの門板後方に設置され、上端に設置される縦型モータと駆動装置内に設置される水平モータとによって駆動されて横方向に移動し、強化柱下端の内部空間には、ピン及び縦型モータが設けられ、駆動装置は、感応式全自動電動防水シャッターのケーシング内の下方に設置され、２つの内壁には、固定プラグ及び軸受セットがそれぞれ設けられ、２つの固定プラグ内には、ガイドロッドの両端がそれぞれ固定され、２つの軸受セット内には、ガイドネジロッド及び伝動軸の一方の端部がそれぞれ固定され、ガイドネジロッド及び伝動軸の他方の端部は、互いに対向接続され、縦型モータは、強化柱上端に設置され、水平モータは、駆動装置内に設置されることを特徴とする感応式全自動電動防水シャッター及びその自動位置決め強化柱である。
【発明の効果】
【００１７】
感応式全自動電動防水シャッター及びその自動位置決め強化柱は、高い防水効果を実現し、浸水を防止し、作動時の安全性を確保することができ、スラットの強度を高め、スラットを安定的に移動させることができ、設備が損壊するのを防止し、気密性の高い防水効果を実現し、スラットの収納構造が簡単であり、使用が簡単であり、スラットの構造を保護することができ、スラットの使用年数を延長することができ、強化柱を安定的に移動させることができ、固定台の防水及び防塵を実現することができ、使用しない際は、蓋板が自動的に蓋をし、防水シャッターの作動が感応式の全自動で行われ、強化柱が自動的に位置決めされ、防水効果及び浸水防止効果を高めることができる。
【図面の簡単な説明】
【００１８】
【図１】本発明の感応式全自動電動防水シャッター及びその自動位置決め強化柱を示す正面断面図である。
【図２】本発明の感応式全自動電動防水シャッター及びその自動位置決め強化柱を示す側面断面図である。
【図３】本発明の感応式全自動電動防水シャッター及びその自動位置決め強化柱の駆動装置を示す平面断面図である。
【図４】本発明の感応式全自動電動防水シャッター及びその自動位置決め強化柱の駆動装置を示す平面断面図である。
【図５】図２の一部を拡大した側面断面図である。
【図６】本発明の感応式全自動電動防水シャッター及びその自動位置決め強化柱を示す斜視図である。
【図７】本発明の感応式全自動電動防水シャッター及びその自動位置決め強化柱のスラットを示す側面断面図である。
【図８】本発明の感応式全自動電動防水シャッター及びその自動位置決め強化柱を示す斜視図である。
【図９】本発明の感応式全自動電動防水シャッター及びその自動位置決め強化柱を示す分解斜視図である。
【図１０】本発明の感応式全自動電動防水シャッター及びその自動位置決め強化柱を示す正面図である。
【図１１】本発明の感応式全自動電動防水シャッター及びその自動位置決め強化柱のスラットを示す斜視図である。
【図１２】本発明の感応式全自動電動防水シャッター及びその自動位置決め強化柱のスラットの結合状態を示す斜視図である。
【図１３】本発明の感応式全自動電動防水シャッター及びその自動位置決め強化柱のスラットの結合状態を示す他の角度からの斜視図である。
【図１４】本発明の感応式全自動電動防水シャッター及びその自動位置決め強化柱のスラットの結合状態を示す平面図である。
【図１５】本発明の感応式全自動電動防水シャッター及びその自動位置決め強化柱のスラットがケーシングから出入する第１の状態を示す側面図である。
【図１６】本発明の感応式全自動電動防水シャッター及びその自動位置決め強化柱のスラットがケーシングから出入する第２の状態を示す側面図である。
【図１７】本発明の感応式全自動電動防水シャッター及びその自動位置決め強化柱のスラットがケーシングから出入する第３の状態を示す側面図である。
【図１８】本発明の感応式全自動電動防水シャッター及びその自動位置決め強化柱のスラットがケーシングから出入する第４の状態を示す側面図である。
【図１９】本発明の感応式全自動電動防水シャッター及びその自動位置決め強化柱の収納装置の固定板を示す側面図である。
【図２０】図１９の拡大図である。
【図２１】本発明の感応式全自動電動防水シャッター及びその自動位置決め強化柱の収納装置のチェーン保護板を示す側面図である。
【図２２】図２１の拡大図である。
【図２３】本発明の感応式全自動電動防水シャッター及びその自動位置決め強化柱の収納装置の吊レールのフランジを示す側面図である。
【図２４】図２３の他の角度からの拡大図である。
【図２５】本発明の感応式全自動電動防水シャッター及びその自動位置決め強化柱の下圧油圧シリンダの作動状態を示す側面図である。
【図２６】本発明の感応式全自動電動防水シャッター及びその自動位置決め強化柱の側圧油圧シリンダの作動状態を示す側面図である。
【図２７】特許文献１の「脱出構造を有するシャッター」を示す正面図である。
【図２８】特許文献２の「受動型赤外線検出装置を有する可動バリア制御装置（Ｍｏｖａｂｌｅ  Ｂａｒｒｉｅｒ  Ｏｐｅｒａｔｏｒ  Ｈａｖｉｎｇ  Ｐａｓｓｉｖｅ  Ｉｎｆｒａｒｅｄ  Ｄｅｔｅｃｔｏｒ）」を示す斜視図である。
【発明を実施するための形態】
【００１９】
本発明の目的、特徴及び効果を示す実施形態を図面に沿って詳細に説明する。
【００２０】
図１及び図２を参照する。図１は、本発明の感応式全自動電動防水シャッター及びその自動位置決め強化柱を示す正面断面図である。図２は、本発明の感応式全自動電動防水シャッター及びその自動位置決め強化柱を示す側面断面図である。図１及び図２に示すように、本発明の感応式全自動電動防水シャッター及びその自動位置決め強化柱は、門板１、ケーシング２、２つの外枠３、収納装置４、下圧油圧シリンダ５、側圧油圧シリンダ６、水位検出器７、強化柱８及び駆動装置９を含む。門板１は、複数のスラット１１からなる。複数のスラット１１は、２つの外枠３内に配置されるか、或いは、収納装置４内に収納される。ケーシング２は、門板１の上方に設置される。ケーシング２の内部には、モータ２１、油圧ポンプ２２（図８参照）、自動制御器２３（図８参照）、無停電システム２４（図８参照）、収納装置４、下圧油圧シリンダ５及び駆動装置９が設けられる。２つの外枠３は、門板１の両側に対向配置され、２つの外枠３間には、複数のスラット１１が配置される。収納装置４の左右内壁の水平方向には、吊レール４１がそれぞれ設けられ、垂直方向には、ガイドレール４２がそれぞれ設けられる。各ガイドレール４２の一方の端部には、互いに連通する支持レール４３がそれぞれ接続される。各吊レール４１と各ガイドレール４２とが最も接近する部分には、歯車４５がそれぞれ設置される。各歯車４５上には、チェーン４６が噛合される。各チェーン４６は、各吊レール４１及び各ガイドレール４２に沿って移動する。下圧油圧シリンダ５は、ケーシング２又は外枠３内に設置され、下端には、門板１を圧迫する下圧片５１が設けられる。側圧油圧シリンダ６は、外枠３内に設置され、下端には、押圧ロッド６１が接続される。水位検出器７（図８参照）は、外枠３側部の地面に設置され、所定の水位を検出すると、防水システムを自動的に起動する。強化柱８は、門板１後方に設置され、上端に設置される縦型モータ９１及び駆動装置９内に設置される水平モータ９２又はモータが設けられない手動操作によって駆動されて横方向に移動する。強化柱８下端の内部空間には、ピン８１及び縦型モータ８２が設けられる。駆動装置９は、ケーシング２内の下方に設置され、２つの内壁には、固定プラグ９３及び軸受セット９５がそれぞれ設けられる。２つの固定プラグ９３内には、ガイドロッド９４の両端がそれぞれ固定される（図３及び図４参照）。２つの軸受セット９５内には、ガイドネジロッド９６及び伝動軸９７の一方の端部がそれぞれ固定される。ガイドネジロッド９６及び伝動軸９７の他方の端部は、互いに対向接続される。縦型モータ９１は、強化柱８上端に設置され、水平モータ９２は、駆動装置９内に設置される。本発明は、ケーシング２又は外枠３内に対称又は非対称に１つ又は複数の下圧油圧シリンダ５が設置される態様でもよい。
【００２１】
図３及び図４を参照する。図３は、本発明の感応式全自動電動防水シャッター及びその自動位置決め強化柱の駆動装置を示す平面断面図である。図４は、本発明の感応式全自動電動防水シャッター及びその自動位置決め強化柱の駆動装置を示す平面断面図である。図３及び図４に示すように、強化柱８の上部は、駆動装置９のガイドロッド９４及びガイドネジロッド９６上に可動跨設される。駆動装置９の２つの内壁には、固定プラグ９３及び軸受セット９５がそれぞれ設けられる。２つの固定プラグ９３内には、ガイドロッド９４の両端がそれぞれ固定される。２つの軸受セット９５内には、ガイドネジロッド９６及び伝動軸９７の一方の端部がそれぞれ固定される。ガイドネジロッド９６及び伝動軸９７の他方の端部は、互いに対向接続される。
【００２２】
図５を参照する。図５は、図２の一部を拡大した側面断面図である。図５に示すように、強化柱８のピン８１は、縦型モータ８２の駆動により、レール８４に設置される強化柱８の固定台８４１に挿入固定される。強化柱８の底部にボール８３が設けられることにより、レール８４上において強化柱８を安定的に横方向に移動させることができる。固定台８４１は、蓋板８４２及びバネ８４３を有する。強化柱８のピン８１は、縦型モータ８２によって駆動された際、先ず、固定台８４１の蓋板８４２に当接される。その後、蓋板８４２が固定台８４１の底部まで押圧され、バネ８４３が圧縮され、強化柱８のピン８１と固定台８４１との挿入固定が完了する。反対に、縦型モータ８２により、ピン８１が強化柱８内部に回収されると、バネ８４３を圧縮する外力が無くなるため、バネ８４３の復元力により、蓋板８４２が本来の位置に押し戻され、固定台８４１に蓋をする作業が自動的に行われる。固定台８４１の蓋板８４２及びバネ８４３の構造と、強化柱８の逆Ｌ形状構造と、強化柱８のピン８１が固定台８４１に挿入される構造と、により、固定台８４１の防水及び防塵が実現され、使用しない際は、蓋板８４２によって自動的に蓋がされるため、浸水防止の効果が高められる。
【００２３】
図６を参照する。図６は、本発明の感応式全自動電動防水シャッター及びその自動位置決め強化柱を示す斜視図である。図６に示すように、強化柱８は、門板１の後方に設置される。門板１の後方に１つ又は複数の強化柱８を配列することができるため、防水シャッターの幅に対応させることができる。また、強化柱８は、逆Ｌ形状を呈し、上部にガイドロッド９４及びガイドネジロッド９６が貫設され、底部にレール８４に設けられるボールを有する（図５参照）。これにより、門板１の後方において、強化柱８を安定的に横方向に移動させ、強化柱８が横方向に移動する際の揺れを減少させ、強化柱８を安定的に移動させることができる。更に、強化柱８は、水圧によってスラット１１が変形するのを減少させることができるため、防水能力及び浸水防止能力を高めることができる。
【００２４】
図７を参照する。図７は、本発明の感応式全自動電動防水シャッター及びその自動位置決め強化柱のスラットを示す側面断面図である。図７に示すように、複数のスラット１１（図１参照）の上端には、指詰め防止片１１１、Ｖ形凹溝１１２及び門板固定孔１１３がそれぞれ設けられる。スラット１１の下端には、指詰め防止片１１１、逆Ｖ形凸角部１１６及び少なくとも１つのガイドホイール固定ブロック１１５がそれぞれ設けられる。スラット１１の内部空間には、複数の隔板１１４が設けられることにより、複数のチャンバ１１４１が形成される。Ｖ形凹溝１１２及び逆Ｖ形凸角部１１６の表面には、防水ゴム板１１７１がそれぞれ貼設される（図１２参照）。また、スラット１１と外枠３（図１参照）との間の表面には、防水ゴム板１１７２がそれぞれ貼設される（図１５参照）。また、下圧油圧シリンダ５の下圧片５１の押圧を受けるＶ形凹溝１１２の表面には、ガスケット１１８を貼設することができる（図１５参照）。隔板１１４が設けられることにより、スラット１１の強度が強化される。
【００２５】
図８〜図１０を参照する。図８は、本発明の感応式全自動電動防水シャッター及びその自動位置決め強化柱を示す斜視図である。図９は、本発明の感応式全自動電動防水シャッター及びその自動位置決め強化柱を示す分解斜視図である。図１０は、本発明の感応式全自動電動防水シャッター及びその自動位置決め強化柱を示す正面図である。図８〜図１０に示すように、外枠３内には、門板１が地面に接触する際の異常を検出する赤外線検出器１０が設けられる。下圧油圧シリンダ５又は側圧油圧シリンダ６は、必要に応じ、１つ又は複数設置することができる。水位検出器７及び赤外線検出器１０は、検出を行い、自動制御器２３に信号を伝送する。自動制御器２３は、信号に基づいて、防水シャッター、下圧油圧シリンダ５、側圧油圧シリンダ６及び強化柱８の開閉又は移動を制御することができる。或いは、防水シャッター１の外部に、人、車両、物などの通過を検出する赤外線検出器１０が装着され、赤外線検出器１０が異常を検出すると、自動制御器２３に信号を伝送し、自動制御器２３が防水シャッターを閉めるのを即座に停止するため、安全性が確保される。
【００２６】
洪水が発生し、水位検出器７が所定の水位を検出して自動制御器２３に信号を伝送すると、自動制御器２３は、モータ２１、縦型モータ９１及び水平モータ９２を起動し、レール８４をスライドするボール８３を利用して、強化柱８を固定台８４１まで横方向に移動させる。また、自動制御器２３は、強化柱８の縦型モータ８２を起動して固定台８４１にピン８１を挿入して固定し、門板１の各スラット１１を下降させ、各層を位置合わせして密着させる。また、下圧油圧シリンダ５が下圧片５１を下降させ、スラット１１を下方に押圧し、ガスケット１１８により、地面との間の防水性が確保される。その後、側圧油圧シリンダ６が押圧ロッド６１を下方に移動させて当接ロッド６２を下降させ、当接ロッド６２が水平角度まで下降すると、押圧板６３がスラット１１を平面で押圧することにより、スラット１と防水ゴム板１１７２とが更に密着し、気密性の高い防水及び防災効果を実現することができる。
【００２７】
或いは、自動制御器２３がモータ２１、縦型モータ９１及び水平モータ９２を起動すると、先に、門板１の各スラット１１を下降させ、各層を位置合わせして密着させ、下圧油圧シリンダ５が下圧片５１を下降させ、スラット１１を下方に押圧し、ガスケット１１８により、地面との間の防水性が確保される。その後、側圧油圧シリンダ６が押圧ロッド６１を下方に移動させて当接ロッド６２を下降させ、当接ロッド６２が水平角度まで下降すると、押圧板６３がスラット１１を平面で押圧する。次に、レール８４をスライドするボール８３を利用して、強化柱８を固定台８４１まで横方向に移動させる。次に、強化柱８の縦型モータ８２を起動して固定台８４１にピン８１を挿入して固定するステップでもよく、同様に、防水効果及び防災効果を実現することができる。
【００２８】
水が引くと、水位検出器７が自動制御器２３に信号を再び伝送する。自動制御器２３は、先ず、強化柱８の縦型モータ８２により、固定台８４１からピン８１を回収する。その後、レール８４をスライドするボール８３により、強化柱８を横方向に移動させて元の位置に復帰させる。次に、下圧油圧シリンダ５及び側圧油圧シリンダ６を復帰して位置決めする。また、各スラット１１を収納装置４に回収する。或いは、自動制御器２３は、先ず下圧油圧シリンダ５及び側圧油圧シリンダ６を復帰して位置決めし、各スラット１１を収納装置４に回収する。次に、強化柱８の縦型モータ８２により、固定台８４１からピン８１を回収する。次に、レール８４をスライドするボール８３により、強化柱８を横方向に移動させて元の位置に復帰させる。以上のステップにより、感応式全自動電動防水シャッター及びその自動位置決め強化柱の復帰ステップが完了する。水位検出器７及び赤外線検出器１０の検出と、自動制御器２３の信号制御により、感応式全自動電動防水シャッターの作動と、強化柱８の自動位置決めと、が実現される。
【００２９】
図１１〜図１４を示す。図１１は、本発明の感応式全自動電動防水シャッター及びその自動位置決め強化柱のスラットを示す斜視図である。図１２は、本発明の感応式全自動電動防水シャッター及びその自動位置決め強化柱のスラットの結合状態を示す斜視図である。図１３は、本発明の感応式全自動電動防水シャッター及びその自動位置決め強化柱のスラットの結合状態を示す他の角度からの斜視図である。図１４は、本発明の感応式全自動電動防水シャッター及びその自動位置決め強化柱のスラットの結合状態を示す平面図である。図１１〜図１４に示すように、スラット１１の門板固定孔１１３（図７参照）には、軸ロッド１２の一方の端部が挿入される。軸ロッド１２の他方の端部は、チェーン４６に貫設される上、軸受セット１３に嵌設される。複数のスラット１１のガイドホイール固定ブロック１１５には、固定片ガイドホイール１４が螺着される。ガイドホイール固定片１４は、ガイドホイール１５が嵌設される。
【００３０】
図１５〜図１８を参照する。図１５は、本発明の感応式全自動電動防水シャッター及びその自動位置決め強化柱のスラットがケーシングから出入する第１の状態を示す側面図である。図１６は、本発明の感応式全自動電動防水シャッター及びその自動位置決め強化柱のスラットがケーシングから出入する第２の状態を示す側面図である。図１７は、本発明の感応式全自動電動防水シャッター及びその自動位置決め強化柱のスラットがケーシングから出入する第３の状態を示す側面図である。図１８は、本発明の感応式全自動電動防水シャッター及びその自動位置決め強化柱のスラットがケーシングから出入する第４の状態を示す側面図である。図１５〜図１８に示すように、支持レール４３の開口には、外部に拡張するガイド口４４が設けられる。ガイドレール４２に沿って、一列に重置されている防水シャッターの各スラット１１をケーシング２の収納装置４内に収納する場合、先ず、モータ２１によって歯車４５を回動させてチェーン４６を収納装置４の方向に移動させる。これにより、重置されていたスラット１１がガイドレール４２のチェーン４６に沿って移動し、ガイドレール４２に沿って収納装置４の方向に順番に移動する。スラット１１のチェーン４６上に枢着される軸受セット１３がチェーン４６と共に移動すると共に、複数のスラット１１のガイドホイール１５を有する端部が支持レール４３とガイドレール４２との接合部分まで移動し、接合部分の突出部によって分岐し、支持レール４３に沿って収納装置４の方向に移動する。これにより、各スラット１１は、歯車４５から吊レール４１に移動する際、確実に分岐させることができる。また、吊レール４１の傾斜により、軸受セット１３は、吊レール４１の方向にスムーズに移動し、吊レール４１上に吊設される。以上のステップにより、収納装置４は、スラット１１を自動的に配列収納することができるため、収納及び使用を簡単に行うことができる。
【００３１】
ケーシング２内のスラット１１を収納装置４外に移動させる場合、先ず、モータ２１によって歯車４５を駆動してチェーン４６を吊レール４１からガイドレール４２に順番に移動させる。これにより、一列に配列していたスラット１１がガイドレール４２内のチェーン４６に沿って移動し、ガイドレール４２に沿って収納装置４外に順番に移動する。また、複数のスラット１１の軸受セット１３がチェーン４６に沿って移動すると共に、ガイドホイール１５がガイド口４４にガイドされることにより、下方の支持レール４３中に移動する。スラット１１は、支持レール４３の位置規制によって揺れが減少される上、ガイドレール４２に安定的に移動し、ガイドレール４２のガイドと、チェーン４６の駆動と、により、下方に重置される。以上のステップにより、外枠３内にスラット１１が自動的に配列され、密着された防水シャッターが形成される。即ち、軸受セット１３、ガイドレール４２及び支持レール４３により、スラット１１が上昇及び下降する際に揺れたり、斜めになったりするのを防止することができるため、スラット１１を安定的に移動させ、設備が損壊するのを減少させることができる。
【００３２】
収納装置４の内部には、スラット１１を停止させる２つのストッパ４７が設けられる。ストッパ４７により、スラット１１がぶつかって損壊するのを減少させることができるため、スラット１１の構造を保護し、スラットの使用年数を延長することができる。また、チェーン４６が枢着される各スラット１１間には、所定の隙間が存在するが、複数のスラット１１がチェーン４６に沿ってケーシング２内に移動したり、ケーシング２から外部に移動する際、複数のスラット１１間に指詰め防止片１１１が交差して重置される（図７参照）ため、各スラット１１間に隙間が形成されない。これにより、防水効果及び浸水防止効果が実現される。図１９〜図２２を参照する。図１９は、本発明の感応式全自動電動防水シャッター及びその自動位置決め強化柱の収納装置の固定板を示す側面図である。図２０は、図１９の拡大図である。図２１は、本発明の感応式全自動電動防水シャッター及びその自動位置決め強化柱の収納装置のチェーン保護板を示す側面図である。図２２は、図２１の拡大図である。図１９〜図２２に示すように、収納装置４の吊レール４１の上方には、固定板４８１及びチェーン保護板４８２が設置される。固定板４８１により、吊レール４１に固定空間が形成され、軸受セット１３及びスラット１１が吊レール４１を移動する際の安定性を更に高め、吊レール４１から離脱するのを防止することができる。また、チェーン保護板４８２により、スラット１１を収納したり、送り出したりする際、チェーン４６の節目が収縮して引っかかり、スラット１１の昇降がスムーズに行われなくなるのを防止することができる。即ち、チェーン保護板４８２が設けられることにより、スラット１１が下降する際、チェーン４６を強制的に展開させるため、スラット１１の昇降を更にスムーズにすることができる。また、図２３及び図２４を参照する。図２３は、本発明の感応式全自動電動防水シャッター及びその自動位置決め強化柱の収納装置の吊レールのフランジを示す側面図である。図２４は、図２３の他の角度からの拡大図である。図２３及び図２４に示すように、収納装置４の吊レールの上縁及び下縁には、フランジ４１１がそれぞれ設置される。吊レール４１及び２つのフランジ４１１によって形成される内部空間には、軸受セット１３の突縁１３１が収容される。フランジ４１１及び突縁１３１の設置により、軸受セット１３を吊レール４１内において更に安定的にスライドさせることができ、軸受セット１３が脱落するのを防止し、軸受セット１３を吊レール４１内に位置規制することができる。
【００３３】
図２５を参照する。図２５は、本発明の感応式全自動電動防水シャッター及びその自動位置決め強化柱の下圧油圧シリンダの作動状態を示す側面図である。図２５に示すように、各スラット１１が下降し、各層が密接された後、下圧油圧シリンダ５が下圧片５１を下方に押圧することにより、スラット１１の各層は、ガスケット１１８及び地面によって更に密接されるため、気密性を高め、防水及び防災の機能を高めることができる。
【００３４】
図２６を参照する。図２６は、本発明の感応式全自動電動防水シャッター及びその自動位置決め強化柱の側圧油圧シリンダの作動状態を示す側面図である。各スラット１１が下降し、各層が密接された後、下圧油圧シリンダ５が下圧片５１を下方に押圧することにより、スラット１１の各層は、ガスケット１１８及び地面によって更に密接されるため、防水効果を高めることができる（図２５参照）。その後、図２６に示すように、側圧油圧シリンダ６により、押圧ロッド６１が当接ロッド６２を下降させ、当接ロッド６２が水平角度まで下降すると、押圧板６３がスラット１１を平面で押圧するため、スラット１１と防水ゴム板１１７２とが更に密着し、気密性を高め、防水及び防災効果を実現することができる。
【００３５】
以上の説明は、本発明の好適な実施形態を示すものである。本発明の第２実施形態及び第３実施形態による感応式全自動電動防水シャッター及びその自動位置決め強化柱の説明を以下に示す。
【００３６】
図１及び図２を参照する。本発明の第２実施形態による感応式全自動電動防水シャッター及びその自動位置決め強化柱の電動防水シャッターは、門板１、ケーシング２、２つの外枠３及び収納装置４を含む。門板１は、複数のスラット１１からなる。スラット１１は、２つの外枠３内に配置されるか、或いは、収納装置４内に収納される。ケーシング２は、門板１の上方に設置される。ケーシング２の内部には、モータ２１、油圧ポンプ２２（図８参照）、自動制御器２３（図８参照）、無停電システム２４（図８参照）及び収納装置４が設けられる。２つの外枠３は、門板１の両側に対向配置され、２つの外枠３間には、複数のスラット１１が配置される。収納装置４の左右内壁の水平方向には、吊レール４１がそれぞれ設けられ、垂直方向には、ガイドレール４２がそれぞれ設けられる。各ガイドレール４２の一方の端部には、互いに連通する支持レール４３がそれぞれ接続される。各吊レール４１と各ガイドレール４２とが最も接近する部分には、歯車４５がそれぞれ設置される。各歯車４５上には、チェーン４６が噛合される。各チェーン４６は、各吊レール４１及び各ガイドレール４２に沿って移動する。
【００３７】
図１及び図２を参照する。本発明の第３実施形態による感応式全自動電動防水シャッター及びその自動位置決め強化柱の自動位置決め強化柱は、強化柱８及び駆動装置９を含む。強化柱８は、門板１の後方に設置される。また、上端に設置される縦型モータ９１と、駆動装置９内に設置される水平モータ９２と、によって横方向に移動する。強化柱８の下端の内部空間には、ピン８１及び縦型モータ８２が設けられる。駆動装置９は、ケーシング２内の下方に設置される。駆動装置９の２つの内壁には、固定プラグ９３及び軸受けセット９５がそれぞれ設けられる。２つの固定プラグ９３内には、ガイドロッド９４の両端が固定される（図３及び図４参照）。２つの軸受セット９５内には、ガイドネジロッド９６及び伝動軸９７の一方の端部が固定される。ガイドネジロッド９６と伝動軸９７の他方の端部とは、互いに対向接続される。強化柱８の上端には、縦型モータ９１が設けられる。駆動装置９内には、水平モータ９２が設けられる。
【００３８】
説明したことから分かるように、本発明の感応式全自動電動防水シャッター及びその自動位置決め強化柱は、高い防水効果を実現し、浸水を防止し、作動時の安全性を確保することができ、スラットの強度を高め、スラットを安定的に移動させることができ、設備が損壊するのを防止し、気密性の高い防水効果を実現し、スラットの収納構造が簡単であり、使用が簡単であり、スラットの構造を保護することができ、スラットの使用年数を延長することができ、強化柱を安定的に移動させることができ、固定台の防水及び防塵を実現することができ、使用しない際は、蓋板が自動的に蓋をし、防水シャッターの作動が感応式の全自動で行われ、強化柱が自動的に位置決めされ、防水効果及び浸水防止効果を高めることができる。これにより、洪水が発生した際、本発明の感応式全自動電動防水シャッターは、警戒水位を検出することができる水位検出器が自動制御器に信号を送信し、自動制御器が複数のモータ、縦型モータ及び水平モータを起動し、各スラット１つずつ放出されて防水シャッターが形成される。また、強化柱が固定台まで横方向に移動し、強化柱のピンが固定台に自動的に挿入されることによってシャッターの防水強度が強化される。また、下圧油圧シリンダ及び側圧油圧シリンダの下方及び側方に押圧する作用によって各スラットと地面と強化柱とが密接して気密性の高い防水効果を実現することができ、人員による操作の必要がない感応式全自動電動防水シャッターが構成される。即ち、高い実用価値を有し、特許要件である新規性、進歩性及び産業上の利用性を有する。
【００３９】
以上の説明は、本発明の好適な実施形態を示すものであり、本発明の特許請求の範囲に基づく同等効果である変更は、何れも、本発明に含まれる。
【符号の説明】
【００４０】
１  門板
１０  赤外線検出器
１１  スラット
１１１  指詰め防止片
１１２  Ｖ形凹溝
１１３  門板固定孔
１１４  隔板
１１４１  チャンバ
１１５  ガイドホイール固定ブロック
１１６  逆Ｖ形凸角部
１１７１  防水ゴム板
１１７２  防水ゴム板
１１８  ガスケット
１２  軸ロッド
１３  軸受セット
１３１  突縁
１４  ガイドホイール固定片
１５  ガイドホイール
２  ケーシング
２１  モータ
２２  油圧ポンプ
２３  自動制御器
２４  無停電システム
３  外枠
４  収納装置
４１  吊レール
４１１  フランジ
４２  ガイドレール
４３  支持レール
４４  ガイド口
４５  歯車
４６  チェーン
４７  ストッパ
４８１  固定板
４８２  チェーン保護板
５  下圧油圧シリンダ
５１  下圧片
６  側圧油圧シリンダ
６１  押圧ロッド
６２  当接ロッド
６３  押圧板
７  水位検出器
８  強化柱
８１  ピン
８２  縦型モータ
８３  ボール
８４  レール
８４１  固定台
８４２  蓋板
８４３  バネ
９  駆動装置
９１  縦型モータ
９２  水平モータ
９３  固定プラグ
９４  ガイドロッド
９５  軸受セット
９６  ガイドネジロッド
９７  伝動軸
【手続補正２】
【補正対象書類名】特許請求の範囲
【補正対象項目名】全文
【補正方法】変更
【補正の内容】
【特許請求の範囲】
【請求項１】
門板、ケーシング、２つの外枠、収納装置、下圧油圧シリンダ、側圧油圧シリンダ、水位検出器、強化柱及び駆動装置を備える感応式全自動電動防水シャッター及びその自動位置決め強化柱であって、
前記門板は、複数のスラットからなり、前記複数のスラットは、２つの外枠内に配置されるか、或いは、前記収納装置内に収納され、
前記ケーシングは、前記門板の上方に設置され、内部には、モータ、油圧ポンプ、自動制御器、無停電システム、前記収納装置、前記下圧油圧シリンダ及び前記駆動装置が設けられ、
前記２つの外枠は、前記門板の両側に対向配置され、前記２つの外枠間には、前記複数のスラットが配置され、
前記収納装置は、左右内壁の水平方向に吊レールがそれぞれ設けられ、垂直方向にガイドレールがそれぞれ設けられ、前記各ガイドレールの一方の端部には、互いに連通する支持レールがそれぞれ接続され、前記各吊レールと前記各ガイドレールとが最も接近する部分には、歯車がそれぞれ設置され、前記各歯車上には、チェーンが噛合され、前記各チェーンは、前記各吊レール及び前記各ガイドレールに沿って移動し、
前記下圧油圧シリンダは、前記ケーシング又は外枠内に設置され、下端には、前記門板を圧迫する下圧片が設けられ、
前記側圧油圧シリンダは、前記外枠内に設置され、下端には、押圧ロッドが接続され、
前記水位検出器は、前記外枠側部の地面に設置され、所定の水位を検出すると、防水システムを自動的に起動し、
前記強化柱は、前記門板後方に設置され、上端に設置される縦型モータ及び前記駆動装置内に設置される水平モータ又は手動操作によって駆動されて横方向に移動し、前記強化柱下端の内部空間には、ピン及び縦型モータが設けられ、
前記駆動装置は、前記ケーシング内の下方に設置され、２つの内壁には、固定プラグ及び軸受セットがそれぞれ設けられ、前記２つの固定プラグ内には、ガイドロッドの両端がそれぞれ固定され、前記２つの軸受セット内には、ガイドネジロッド及び伝動軸の一方の端部がそれぞれ固定され、前記ガイドネジロッド及び前記伝動軸の他方の端部は、互いに対向接続され、前記縦型モータは、前記強化柱上端に設置され、前記水平モータは、前記駆動装置内に設置されることを特徴とする感応式全自動電動防水シャッター及びその自動位置決め強化柱。
【請求項２】
前記複数のスラットの上端には、指詰め防止片、Ｖ形凹溝及び門板固定孔がそれぞれ設けられ、前記複数のスラットの下端には、指詰め防止片、逆Ｖ形凸角部及び２つのガイドホイール固定ブロックがそれぞれ設けられ、前記複数のスラットの内部空間には、複数の隔板が設けられることにより、複数のチャンバが形成され、前記Ｖ形凹溝の表面と、前記逆Ｖ形凸角部の表面と、前記スラットと前記外枠との間の表面と、には、防水ゴム板がそれぞれ貼設され、前記下圧油圧シリンダの下圧片の押圧を受ける前記Ｖ形凹溝の表面には、ガスケットが貼設されることを特徴とする請求項１に記載の感応式全自動電動防水シャッター及びその自動位置決め強化柱。
【請求項３】
前記複数のスラットの門板固定孔には、軸ロッドの一方の端部が挿入され、前記軸ロッドの他方の端部は、前記チェーンに貫設される上、前記軸受セットに嵌設され、前記複数のスラットのガイドホイール固定ブロックには、ガイドホイール固定片が螺着され、前記ガイドホイール固定片には、ガイドホイールが嵌設されることを特徴とする請求項２に記載の感応式全自動電動防水シャッター及びその自動位置決め強化柱。
【請求項４】
前記外枠内に、前記門板が地面に接触する際の異常を検出する赤外線検出器が設けられるか、或いは、前記防水シャッターの外部に、人、車両、物などの通過を検出する赤外線検出器が装着されることを特徴とする請求項１に記載の感応式全自動電動防水シャッター及びその自動位置決め強化柱。
【請求項５】
前記収納装置の内部には、前記複数のスラットを停止させる２つのストッパが設けられ、前記支持レールの開口には、外部に拡張するガイド口が設けられ、前記収納装置の吊レールの上方には、固定板及びチェーン保護板が設置され、前記吊レールの上縁及び下縁には、フランジがそれぞれ設置されることを特徴とする請求項１に記載の感応式全自動電動防水シャッター及びその自動位置決め強化柱。
【請求項６】
前記下圧油圧シリンダ又は側圧油圧シリンダは、必要に応じ、１つ又は複数設置されることを特徴とする請求項１に記載の感応式全自動電動防水シャッター及びその自動位置決め強化柱。
【請求項７】
前記強化柱の上部は、前記駆動装置の前記ガイドロッド及び前記ガイドネジロッド上に可動跨設され、前記ピンは、前記縦型モータによって駆動されて前記レールに設置される固定台に挿入固定され、前記強化柱の底部にボールが設けられることにより、前記レール上において前記強化柱を安定的に横方向に移動させ、前記固定台は、蓋板及びバネを有することを特徴とする請求項１に記載の感応式全自動電動防水シャッター及びその自動位置決め強化柱。
【請求項８】
前記水位検出器及び前記赤外線検出器は、検出を行い、前記自動制御器に信号を伝送し、前記自動制御器は、前記信号に基づいて、前記防水シャッター、前記下圧油圧シリンダ、前記側圧油圧シリンダ及び前記強化柱の開閉又は移動を制御することを特徴とする請求項１に記載の感応式全自動電動防水シャッター及びその自動位置決め強化柱。
【請求項９】
感応式全自動電動防水シャッター及びその自動位置決め強化柱であって、
前記感応式全自動電動防水シャッターは、門板、ケーシング、２つの外枠及び収納装置を備え、
前記門板は、複数のスラットからなり、前記複数のスラットは、２つの外枠内に配置されるか、或いは、前記収納装置内に収納され、
前記ケーシングは、前記門板の上方に設置され、内部には、モータ、油圧ポンプ、自動制御器、無停電システム及び前記収納装置が設けられ、
前記２つの外枠は、前記門板の両側に対向配置され、前記２つの外枠間には、前記複数のスラットが配置され、
前記収納装置は、左右内壁の水平方向に吊レールがそれぞれ設けられ、垂直方向にガイドレールがそれぞれ設けられ、前記各ガイドレールの一方の端部には、互いに連通する支持レールがそれぞれ接続され、前記各吊レールと前記各ガイドレールとが最も接近する部分には、歯車がそれぞれ設置され、前記各歯車上には、チェーンが噛合され、前記各チェーンは、前記各吊レール及び前記各ガイドレールに沿って移動することを特徴とする感応式全自動電動防水シャッター及びその自動位置決め強化柱。
【請求項１０】
感応式全自動電動防水シャッター及びその自動位置決め強化柱であって、
前記自動位置決め強化柱は、強化柱及び駆動装置を備え、
前記強化柱は、前記感応式全自動電動防水シャッターの門板後方に設置され、上端に設置される縦型モータと前記駆動装置内に設置される水平モータとによって駆動されて横方向に移動し、前記強化柱下端の内部空間には、ピン及び縦型モータが設けられ、
前記駆動装置は、前記感応式全自動電動防水シャッターのケーシング内の下方に設置され、２つの内壁には、固定プラグ及び軸受セットがそれぞれ設けられ、前記２つの固定プラグ内には、ガイドロッドの両端がそれぞれ固定され、前記２つの軸受セット内には、ガイドネジロッド及び伝動軸の一方の端部がそれぞれ固定され、前記ガイドネジロッド及び前記伝動軸の他方の端部は、互いに対向接続され、前記縦型モータは、前記強化柱上端に設置され、前記水平モータは、前記駆動装置内に設置されることを特徴とする感応式全自動電動防水シャッター及びその自動位置決め強化柱。
【手続補正３】
【補正対象書類名】図面
【補正対象項目名】全図
【補正方法】変更
【補正の内容】
【図１】
2014227826.tif 000028
【図２】
2014227826.tif 000029
【図３】
2014227826.tif 000030
【図４】
2014227826.tif 000031
【図５】
2014227826.tif 000032
【図６】
2014227826.tif 000033
【図７】
2014227826.tif 000034
【図８】
2014227826.tif 000035
【図９】
2014227826.tif 000036
【図１０】
2014227826.tif 000037
【図１１】
2014227826.tif 000038
【図１２】
2014227826.tif 000039
【図１３】
2014227826.tif 000040
【図１４】
2014227826.tif 000041
【図１５】
2014227826.tif 000042
【図１６】
2014227826.tif 000043
【図１７】
2014227826.tif 000044
【図１８】
2014227826.tif 000045
【図１９】
2014227826.tif 000046
【図２０】
2014227826.tif 000047
【図２１】
2014227826.tif 000048
【図２２】
2014227826.tif 000049
【図２３】
2014227826.tif 000050
【図２４】
2014227826.tif 000051
【図２５】
2014227826.tif 000052
【図２６】
2014227826.tif 000053
【図２７】
2014227826.tif 000054
【図２８】
2014227826.tif 000055